(57)【特許請求の範囲】
【請求項１】
基部及びこの基部の上端から上側に向けてドーム状に膨出するドーム状膨出部からなる固形化粧料であるドーム状化粧料と、
上側に向けて開放されドーム状化粧料における基部を保持する保持部を有する容器本体とを備えたドーム状化粧料保持容器であって、
前記保持部によって保持された前記基部の周縁領域から前記ドーム状膨出部の裾野領域を周方向の全体に亘って覆うようにドーム状膨出部側に向けて突出する環状弾性突出壁が設けられており、
この環状弾性突出壁は、前記ドーム状膨出部の裾野領域に対し周方向の全体に亘って当接又は近接する環状接近部を有していることを特徴とする、
ドーム状化粧料保持容器。
【請求項２】
前記ドーム状膨出部の裾野領域が先細りのテーパ形状を有するものとして形成されている場合において、
前記環状弾性突出壁は、前記ドーム状膨出部が離脱できない程度の剛性を有していることを特徴とする、
請求項１に記載のドーム状化粧料保持容器。
【請求項３】
前記保持部が内周部及び底部を有するものとして形成されており、前記基部の外周部及び前記保持部の内周部の間に介在され前記容器本体から前記ドーム状化粧料への衝撃の伝達を緩和する環状緩衝部材を備えたものである場合において、
前記環状弾性突出壁は、前記環状緩衝部材と一体成形されたものとして環状緩衝部材の上端部から突出するものであることを特徴とする、
請求項１又は２に記載のドーム状化粧料保持容器。
【請求項４】
前記容器本体に対し前記ドーム状膨出部を覆うように装着されるキャップを有する場合において、
前記キャップは、前記容器本体への装着時、前記環状弾性突出壁より外側においてこの容器本体の上端部に対し周方向の全体に亘って当接又は近接する環状接近部を有していることを特徴とする、
請求項１〜３の何れか一項に記載のドーム状化粧料保持容器。
【発明の詳細な説明】
【技術分野】
【０００１】
本発明は、ファンデーション、アイカラー、頬紅その他の固形化粧料であってドーム状に膨出するドーム状膨出部を有するドーム状化粧料を保持してなるドーム状化粧料保持容器に関する。
【背景技術】
【０００２】
従来より、例えば中皿及びこの中皿内に充填される固形化粧料を有する中皿付き固形化粧料と、中皿付き固形化粧料における中皿を保持する保持部を有する容器本体と、中皿及び保持部の間に介在され容器本体から中皿付き固形化粧料への衝撃の伝達を緩和する環状緩衝部材とを備えた固形化粧料保持容器が開示されている（例えば、特許文献１参照）。
【特許文献１】実開昭５８−１６７６０７号公報
【発明の開示】
【発明が解決しようとする課題】
【０００３】
ところで、近年における消費の個性化、多様化の進展に伴い、従来のような単に中皿内に充填されただけの固形化粧料の代わりに、中皿内に充填される基部及び基部上端から上側に向けてドーム状に膨出するドーム状膨出部からなる中皿付きドーム状化粧料が使用されてきている。
【０００４】
このような中皿付きドーム状化粧料を保持してなるドーム状化粧料保持容器によれば、使用者はドーム状化粧料を保持した状態の容器本体をグリップとして握ることによりドーム状膨出部に係る固形化粧料を化粧すべき箇所に直接塗布することが可能である。
【０００５】
しかしながら、このようなドーム状化粧料保持容器にあっては、ドーム状化粧料のうち基部が保持部によって拘束されているのに対しドーム状膨出部は何ら拘束されていないことから、容器本体が落下時の衝撃、運搬時の振動その他の外的衝撃を受けることにより、基部及びドーム状膨出部の境界面付近に係る固形化粧料表層部が局所的に剥離してしまうという問題点がある。
【０００６】
すなわち、基部及びドーム状膨出部の境界面付近に係る固形化粧料表層部の局所的な剥離は、基部及びドーム状膨出部の境界面付近に係る固形化粧料表層部剥離片が飛散する事態を招いてしまい、バッグ内等を汚すこととなる。
【０００７】
そこで、本発明の課題は、固形化粧料表層部剥離片が飛散する事態を有効に回避することができるドーム状化粧料保持容器を提供することにある。
【課題を解決するための手段】
【０００８】
上記課題を解決するため、本発明に係るドーム状化粧料保持容器は、基部及びこの基部の上端から上側に向けてドーム状に膨出するドーム状膨出部からなる固形化粧料であるドーム状化粧料と、上側に向けて開放されドーム状化粧料における基部を保持する保持部を有する容器本体とを備えたドーム状化粧料保持容器であって、保持部によって保持された基部の周縁領域からドーム状膨出部の裾野領域を周方向の全体に亘って覆うようにドーム状膨出部側に向けて突出する環状弾性突出壁が設けられており、この環状弾性突出壁は、ドーム状膨出部の裾野領域に対し周方向の全体に亘って当接又は近接する環状接近部を有していることを特徴としている。
【０００９】
このような本発明に係るドーム状化粧料保持容器にあっては、固形化粧料表層部の局所的な剥離があり得るドーム状膨出部の裾野領域を周方向の全体に亘って覆うように基部の周縁領域からドーム状膨出部側に向けて突出する環状弾性突出壁を備え、しかも、この環状弾性突出壁がドーム状膨出部の裾野領域に対し周方向の全体に亘って当接又は近接する環状接近部を有するものとして構成されている。
【００１０】
したがって、このような本発明に係るドーム状化粧料保持容器によれば、外的衝撃により固形化粧料表層部の局所的な剥離が発生した場合でも、固形化粧料表層部剥離片を環状弾性突出壁の内周部及びドーム状膨出部の外周部の間に封じ込めることが可能となり、その結果、固形化粧料表層部剥離片が飛散する事態を有効に回避することが可能となる。
【００１１】
このような技術的手段において、外的衝撃により境界面付近での亀裂や割れが発生した場合でもドーム状膨出部に係る固形化粧料を化粧すべき箇所に直接塗布するという本来的な機能を維持するという観点からすれば、ドーム状膨出部の裾野領域が先細りのテーパ形状を有するものとして形成されている場合において、環状弾性突出壁は、ドーム状膨出部が離脱できない程度の剛性を有していることが好ましい。
【００１２】
また、部品点数及び組み立て工数の低減を図るという観点からすれば、保持部が内周部及び底部を有するものとして形成されており、基部の外周部及び保持部の内周部の間に介在され容器本体からドーム状化粧料への衝撃の伝達を緩和する環状緩衝部材を備えたものである場合において、環状弾性突出壁は、環状緩衝部材と一体成形されたものとして環状緩衝部材の上端部から突出するものであることが好ましい。
【００１３】
さらに、環状弾性突出壁の外側にも環状弾性突出壁と同様な機能を発揮し得る技術的手段を具備するようにして、固形化粧料表層部剥離片の飛散防止効果を担保しようとする観点からすれば、容器本体に対しドーム状膨出部を覆うように装着されるキャップを有する場合において、キャップは、容器本体への装着時、環状弾性突出壁より外側においてこの容器本体の上端部に対し周方向の全体に亘って当接又は近接する環状接近部を有していることが好ましい。
【発明の効果】
【００１４】
本発明に係るドーム状化粧料保持容器によれば、環状弾性突出壁の内周部及びドーム状膨出部の外周部の間に封じ込められることになり、固形化粧料表層部剥離片が飛散する事態は有効に回避されることになる。
【発明を実施するための最良の形態】
【００１５】
以下、添付図面に基づいて本発明の実施の形態を詳細に説明する。
【００１６】
◎実施の形態１
図１は本発明の実施の形態１に係るドーム状化粧料保持容器の全体構成を示す断面図（キャップ非装着時）、図２は同ドーム状化粧料保持容器の部分構成を示す断面図、図３は同ドーム状化粧料保持容器の外観構成を示す側面図、図４は同ドーム状化粧料保持容器における環状緩衝部材の外観構成を示す平面図、図５は同ドーム状化粧料保持容器における環状緩衝部材の外観構成を示す側面図、図６は同ドーム状化粧料保持容器の全体構成を示す断面図（キャップ装着時）、図７は同ドーム状化粧料保持容器の外観構成を示す側面図である。
【００１７】
なお、ここでは、中皿を有するタイプのドーム状化粧料を保持する場合について説明するが、これに限られるものではなく、中皿を有しないタイプのドーム状化粧料を保持する場合でも、以下の説明が妥当する。
【００１８】
この実施の形態１において、ドーム状化粧料保持容器は、例えばファンデーション、アイカラー、頬紅その他の固形化粧料であってドーム状に膨出するドーム状膨出部を有するドーム状化粧料を保持してなるものとして構成されている。
【００１９】
具体的には、このドーム状化粧料保持容器は、図６に示すように、中皿付きドーム状化粧料１と、容器本体２と、環状緩衝部材３と、環状弾性突出壁４と、キャップ５とを備えたものとして構成されている（図７参照）。
【００２０】
以下、これらの各構成要素についてさらに詳細に説明する。
【００２１】
（１）中皿付きドーム状化粧料１
中皿付きドーム状化粧料１は、図１及び図２に示すように、外周面を有する中皿１１と、ドーム状化粧料１２とからなっている（図３参照）。
【００２２】
そして、ドーム状化粧料１２は、これらの図に示すように、固形化粧料であって、中皿１１内に充填され固着された基部１２ａと、この基部１２ａ上端から上側に向けてドーム状に膨出し裾野領域が先細りのテーパ形状を呈するものとして形成されたドーム状膨出部１２ｂとからなっている。
【００２３】
ここで、中皿１１としては、樹脂製、金属製（例えばアルミ製やブリキ製等）などの別を問わず適宜選定しても差し支えないが、温度や湿度等の外的環境変化の影響を受けにくくするという観点からすれば、ねじりやそりが発生しないような剛性を持った材料を用いることが好ましい。
【００２４】
（２）容器本体２
容器本体２は、図１及び図２に示すように、中皿付きドーム状化粧料１における中皿１１に係る部分を保持する保持部２ａを有するものとして構成されている（図３参照）。
【００２５】
そして、保持部２ａは、これらの図に示すように、上側に向けて開放された皿状凹部であり、内周面及び底面を有するものとして構成されている。
【００２６】
ここで、容器本体２としては、中皿付きドーム状化粧料１における中皿１１に係る部分を保持する保持部２ａを有するものであればよく、ＡＢＳ樹脂、ＡＳ樹脂、ＰＣＴＡ樹脂、ＰＰ樹脂等、公知材料の中から適宜選定してもよいが、温度や湿度等の外的環境変化の影響を受けにくくするという観点からすれば、ねじりやそりが発生しないような剛性を持った材料を用いることが好ましい。
【００２７】
具体的には、容器本体２は、図１に示すように、有頂筒状に形成され頂部に保持部２ａが形成された上側容器本体２１と、有底筒状に形成され上側容器本体２１の下側部分２１ｂが上側部分２１ａ内に嵌装される下側容器本体２２とからなっている（図３参照）。
【００２８】
ここで、下側容器本体２２は、同図に示すように、その内周面から内側に突出し、かつ、軸線方向に延びる突条２２ａを周方向に複数有している。これは、上側容器本体２１の下側部分２１ｂを下側容器本体２２の上側部分２１ａ内に嵌装するに当たって、組み付け後に側容器本体２及び下側容器本体２２間に働く結合力を失わない限度で、組み付けの際に過剰な負荷を生じないようにしたものである。
【００２９】
また、下側容器本体２２は、同図に示すように、その外周部が下側に向かって末広がりの形状に形成されており、このような外周部を使用者がグリップとして握ることによりドーム状膨出部１２ｂに係る固形化粧料を化粧すべき箇所に直接塗布することが可能となっている（図３参照）。
【００３０】
なお、下側容器本体２２においては、末広がりの外周形状を厚肉成形品として実現した場合のひけや重量化等の不都合を回避するため、図１に示すような肉抜き空間２２ｂが設けられている。
【００３１】
上側容器本体２１は、図６に示すように、外周部にキャップ５内周部のメネジ５ａが螺着するオネジ２ｂが形成された上側部分２１ａと、外径寸法が上側部分２１ａに比して小さい下側部分２１ｂと、上側部分２１ａ及び下側部分２１ｂの境目である段部２１ｃとを有している（図７参照）。 図６によれば、上側容器本体２１及び下側容器本体２２を組み付ける際、上側容器本体２１の段部２１ｃが下側容器本体２２の上端部に当接するようになっており、これにより上側容器本体２１は下側容器本体２２に対して軸線方向に位置決めされる。
【００３２】
（３）環状緩衝部材３
環状緩衝部材３は、図１及び図２に示すように、切れ目のない連続的な環状に形成された環状緩衝部材３であって中皿１１の外周部及び保持部２ａの内周面の間に介在されたものとして構成されており、容器本体２から中皿付きドーム状化粧料１への衝撃の伝達を緩和する役割を果たす（図３、図４及び図５参照）。
【００３３】
ここで、環状緩衝部材３には、容器本体２が受けた外的衝撃を緩和することが可能な材料であれば弾性材料及び塑性材料のうちの何れを用いても差し支えなく、例えば、ポリウレタン樹脂、ポリエチレン樹脂、シリコ−ン樹脂、合成ゴム等、公知材料の中から適宜選定することが可能である。また、環状緩衝部材３は、その構成としても、連続的な環状に形成された環状緩衝部材３に限られず、適宜間隔で配された複数の緩衝部材からなり間欠的な環状に形成された環状緩衝部材３等を用いてもよい。
【００３４】
（４）環状弾性突出壁４
環状弾性突出壁４は、図１及び図２に示すように、環状緩衝部材３と一体成形されたものとして環状緩衝部材３の上端部からドーム状膨出部１２ｂの裾野領域を周方向の全体に亘って覆うようにドーム状膨出部１２ｂ側に向けて突出するものとして構成されている（図３、図４及び図５参照）。この環状弾性突出壁４は、これらの図に示すように、ドーム状膨出部１２ｂの裾野領域に対し周方向の全体に亘って当接する環状接近部４ａを有するものとして構成されている。
【００３５】
このような環状弾性突出壁４により、外的衝撃により基部１２ａ及びドーム状膨出部１２ｂの境界面付近に係る固形化粧料表層部の局所的な剥離が発生した場合でも、固形化粧料表層部剥離片を環状弾性突出壁４の内周部及びドーム状膨出部１２ｂの外周部の間に封じ込めることが可能となっており、これにより、固形化粧料表層部剥離片が飛散する事態を有効に回避することが可能となっている。
【００３６】
ここで、環状弾性突出壁４は、固形化粧料表層部の局所的な剥離が発生した場合に当該固形化粧料表層部剥離片を環状弾性突出壁４の内周部及びドーム状膨出部１２ｂの外周部の間に封じ込めることが可能な材料を用いればよく、例えば、ポリウレタン樹脂、ポリエチレン樹脂、シリコ−ン樹脂、合成ゴム等、公知材料の中から適宜選定することが可能である。
【００３７】
また、環状弾性突出壁４は、環状緩衝部材３と別体として構成されていてもよい。環状弾性突出壁４を環状緩衝部材３から別体とする場合、環状緩衝部材３に対し環状弾性突出壁４を係止する方法には、凹凸による嵌合、接着剤による接着等、公知の方法の中から適宜選定することが可能である。
【００３８】
この実施の形態における環状弾性突出壁４は、図２に破線として示すように、内側にドーム状膨出部１２ｂが存在しないとした場合において、その内周面の輪郭がドーム状膨出部１２ｂの裾野領域であるドーム状化粧料１２の外周面の輪郭から内側に入った線形を描くように形成されている。
【００３９】
また、環状弾性突出壁４は、図１及び図２に示すように、基端側に環状緩衝部材３の外周面から外側に向けて突出する外向き突出部４ｂを有すると共に、この外向き突出部４ｂの分だけ環状接近部４ａの背後側が厚肉に形成されている。しかも、これらの図に示すように、この外向き突出部４ｂの下側が上側容器本体２１の上端部によって押し上げられるようになっている。さらに、環状弾性突出壁４は、これらの図に示すように、その内周面及び外周面の何れもが僅かに外側に凸となるように湾曲した形状を有している。
【００４０】
このような環状弾性突出壁４により、実際には内側に存在するドーム状膨出部１２ｂの裾野領域であるドーム状化粧料１２の外周面に対する環状接近部４ａによる当接力を大きくすることができ、ドーム状膨出部１２ｂの成形精度に起因する外形形状のバラツキが環状接近部４ａによる当接に与える不具合を少なくすることができる。
【００４１】
ところで、本実施の形態における環状弾性突出壁４は、先細りのテーパ形状を呈するものとして形成されたドーム状膨出部１２ｂの裾野領域を周方向の全体に亘って覆っており、しかも、ドーム状膨出部１２ｂが離脱できない程度の剛性を有している。
【００４２】
このような環状弾性突出壁４により、外的衝撃により境界面付近での亀裂や割れが発生した場合でも、ドーム状膨出部１２ｂが環状弾性突出壁４の内側空間を通過して離脱する事態を回避することが可能となっており、その結果、ドーム状膨出部に係る固形化粧料を化粧すべき箇所に直接塗布するという本来的な機能を維持することが可能となっている。
【００４３】
（５）キャップ５
キャップ５は、図６に示すように、内周部にメネジ５ａを有し、容器本体２に対しドーム状膨出部１２ｂを覆うようにメネジ５ａ及びオネジ２ｂの螺合により装着されるものとして構成されており、運搬時や保管時に容器本体２によって保持されたドーム状化粧料１２を保護する役割を果たす。
【００４４】
このキャップ５は、同図に示すように、容器本体２への装着時、環状弾性突出壁４より外側においてこの容器本体２の上端部に対し周方向の全体に亘って当接又は近接する環状接近部５ｂを有するものとして構成されている。
【００４５】
このようなキャップ５により、環状弾性突出壁４の外側にも環状弾性突出壁４と同様な機能を発揮し得る技術的手段を具備することが可能となっており、これにより、固形化粧料表層部剥離片の飛散防止効果を担保することが可能となっている。
【００４６】
なお、環状弾性突出壁４の不動化及び安定化を図るには、キャップ５として、容器本体２への装着時、環状弾性突出壁４に対し上側から当接する当接部を具備したものを採用することが有効な場合もあり得る（図示外）。
【００４７】
この実施の形態１において、キャップ５としては、容器本体２に対しドーム状膨出部１２ｂを覆うように装着されるものであればよく、ＡＢＳ樹脂、ＡＳ樹脂、ＰＣＴＡ樹脂、ＰＰ樹脂等、公知材料の中から適宜選定してもよいが、温度や湿度等の外的環境変化の影響を受けにくくするという観点からすれば、ねじりやそりが発生しないような剛性を持った材料を用いることが好ましい。
【００４８】
上記したように、この実施の形態１に係るドーム状化粧料保持容器にあっては、固形化粧料表層部の局所的な剥離があり得るドーム状膨出部１２ｂの裾野領域を周方向の全体に亘って覆うように環状緩衝部材３の上端部である基部１２ａの周縁領域からドーム状膨出部１２ｂ側に向けて突出する環状弾性突出壁４を備えており、しかも、この環状弾性突出壁４がドーム状膨出部１２ｂの裾野領域に対し周方向の全体に亘って当接する環状接近部４ａを有するものとして構成されている。
【００４９】
したがって、このようなドーム状化粧料保持容器によれば、外的衝撃により固形化粧料表層部の局所的な剥離が発生した場合でも、固形化粧料表層部剥離片を環状弾性突出壁４の内周部及びドーム状膨出部１２ｂの外周部の間に封じ込めることが可能となっており、その結果、固形化粧料表層部剥離片が飛散する事態を有効に回避することが可能となっている。
【００５０】
◎実施の形態２
図８は本発明の実施の形態２に係るドーム状化粧料保持容器の全体構成を示す断面図（キャップ５非装着時）、図９は同ドーム状化粧料保持容器の部分構成を示す断面図である。なお、実施の形態１と同様な構成要素については、実施の形態１と同様な符号を付して、ここでは、その詳細な説明を省略する。
【００５１】
この実施の形態２に係るドーム状化粧料保持容器の基本的構成は、これらの図に示すように、実施の形態１と略同様であるが、実施の形態１と異なり、中皿１１の外周部及び保持部２ａの内周面の間に環状緩衝部材３を有しないことに起因して、環状緩衝部材３の上端部から突出する環状弾性突出壁４に代えて、容器本体２の部分である保持部２ａの周縁領域から突出する環状弾性突出壁１０４を有している。そして、このような環状弾性突出壁１０４は、これらの図に示すように、実施の形態１と同様、ドーム状膨出部１２ｂの裾野領域に対し周方向の全体に亘って当接する環状接近部１０４ａを有するものとして構成されている。
【００５２】
ここで、容器本体２の部分である基部１２ａの周縁領域には、周方向の全体に亘って延びる環状の溝２ｃが設けられており、環状弾性突出壁１０４には、周方向の全体に亘って延びるように下端部から下側に向けて突出する環状の下向き突出部１０４ｂが設けられており、この環状の下向き突出部１０４ｂの環状の溝２ｃへの嵌合により容器本体２に対し環状弾性突出壁１０４が固着されている。
【００５３】
このように、この実施の形態２に係るドーム状化粧料保持容器にあっても、実施の形態１と同様、固形化粧料表層部の局所的な剥離があり得るドーム状膨出部１２ｂの裾野領域を周方向の全体に亘って覆うように容器本体２の部分である基部１２ａの周縁領域からドーム状膨出部１２ｂ側に向けて突出する環状弾性突出壁１０４を備えており、しかも、この環状弾性突出壁１０４がドーム状膨出部１２ｂの裾野領域に対し周方向の全体に亘って当接する環状接近部１０４ａを有するものとして構成されている。
【００５４】
したがって、このようなドーム状化粧料保持容器によっても、外的衝撃により固形化粧料表層部の局所的な剥離が発生した場合において、固形化粧料表層部剥離片を環状弾性突出壁１０４の内周部及びドーム状膨出部１２ｂの外周部の間に封じ込めることが可能となっており、その結果、固形化粧料表層部剥離片が飛散する事態を有効に回避することが可能となっている。
【００５５】
◎実施の形態３
図１０は本発明の実施の形態３に係るドーム状化粧料保持容器の全体構成を示す断面図（キャップ５非装着時）、図１１は同ドーム状化粧料保持容器の部分構成を示す断面図である。なお、実施の形態１と同様な構成要素については、実施の形態１と同様な符号を付して、ここでは、その詳細な説明を省略する。
【００５６】
この実施の形態３に係るドーム状化粧料保持容器の基本的構成は、これらの図に示すように、実施の形態１と略同様であるが、実施の形態１と異なり、中皿１１、基部１２ａ及びドーム状膨出部１２ｂからなる中皿付きドーム状化粧料１に代えて、中皿１１、基部１２ａ及び裾野領域において周方向の全体に亘って凹状に窪ませた凹部を有するドーム状膨出部１１２ｂからなる中皿付きドーム状化粧料１０１を有している。
【００５７】
また、この実施の形態３では、ドーム状膨出部１２ｂの裾野領域に対し周方向の全体に亘って当接する環状接近部４ａを有する環状弾性突出壁４に代えて、ドーム状膨出部１１２ｂの裾野領域に対し周方向の全体に亘って近接する環状接近部１１４ａを有する環状弾性突出壁１１４を有している。
【００５８】
このように、この実施の形態３に係るドーム状化粧料保持容器にあっても、実施の形態１と同様、固形化粧料表層部の局所的な剥離があり得るドーム状膨出部１１２ｂの裾野領域を周方向の全体に亘って覆うように容器本体２の部分である基部１２ａの周縁領域からドーム状膨出部１１２ｂ側に向けて突出する環状弾性突出壁１１４を備えており、しかも、この環状弾性突出壁１１４がドーム状膨出部１１２ｂの裾野領域に対し周方向の全体に亘って近接する環状接近部１１４ａを有するものとして構成されている。
【００５９】
したがって、このようなドーム状化粧料保持容器によっても、外的衝撃により固形化粧料表層部の局所的な剥離が発生した場合において、固形化粧料表層部剥離片を環状弾性突出壁１１４の内周部及びドーム状膨出部１１２ｂの外周部の間に封じ込めることが可能となっており、その結果、固形化粧料表層部剥離片が飛散する事態を有効に回避することが可能となっている。
【図面の簡単な説明】
【００６０】
【図１】本発明の実施の形態１に係るドーム状化粧料保持容器の全体構成を示す断面図（キャップ非装着時）である。
【図２】同ドーム状化粧料保持容器の部分構成を示す断面図である。
【図３】同ドーム状化粧料保持容器の外観構成を示す側面図である。
【図４】同ドーム状化粧料保持容器における環状緩衝部材の外観構成を示す平面図である。
【図５】同ドーム状化粧料保持容器における環状緩衝部材の外観構成を示す側面図である。
【図６】同ドーム状化粧料保持容器の全体構成を示す断面図（キャップ装着時）である。
【図７】同ドーム状化粧料保持容器の外観構成を示す側面図である。
【図８】本発明の実施の形態２に係るドーム状化粧料保持容器の全体構成を示す断面図（キャップ非装着時）である。
【図９】同ドーム状化粧料保持容器の部分構成を示す断面図である。
【図１０】本発明の実施の形態３に係るドーム状化粧料保持容器の全体構成を示す断面図（キャップ非装着時）である。
【図１１】同ドーム状化粧料保持容器の部分構成を示す断面図である。
【符号の説明】
【００６１】
１ 中皿付きドーム状化粧料
２ 容器本体
２ａ 保持部
２ｂ オネジ
２ｃ 溝
３ 環状緩衝部材
４ 環状弾性突出壁
４ａ 環状接近部
４ｂ 外向き突出部
５ キャップ
５ａ メネジ
５ｂ 環状接近部
１１ 中皿
１２ ドーム状化粧料
１２ａ 基部
１２ｂ ドーム状膨出部
２１ 上側容器本体
２１ａ 上側部分
２１ｂ 下側部分
２１ｃ 段部
２２ 下側容器本体
２２ａ 突条
２２ｂ 肉抜き空間
１０１ 中皿付きドーム状化粧料
１０４ 環状弾性突出壁
１０４ａ 環状接近部
１０４ｂ 下向き突出部
１１２ｂ ドーム状膨出部
１１４ 環状弾性突出壁
１１４ａ 環状接近部
【図１】
0004911785.tif 000002
【図２】
0004911785.tif 000003
【図３】
0004911785.tif 000004
【図４】
0004911785.tif 000005
【図５】
0004911785.tif 000006
【図６】
0004911785.tif 000007
【図７】
0004911785.tif 000008
【図８】
0004911785.tif 000009
【図９】
0004911785.tif 000010
【図１０】
0004911785.tif 000011
【図１１】
0004911785.tif 000012